(57)【要約】【課題】ソケット本体内に配設された複数のコンタクトピンを変位させて電気部品の接続端子部に離接させるスライドプレートの変形を軽減してそのスライドプレートの移動量を均一化する。【解決手段】ソケット本体１１と、このソケット本体１１内に配設された複数のコンタクトピンと、ソケットカバーと、ソケット本体１１内に上下動可能に配設されたスライドプレートと、ソケット本体１１とソケットカバーの下面との間に設けられ、ソケットカバーの下降操作によりスライドプレートの対向する二側辺の両端部を押圧してスライドプレートを下降させる駆動レバー１５，１６とを備えて成る電気部品用ソケットにおいて、ソケット本体１１とソケットカバーの下面との間に、スライドプレートの他の対向する二側辺の一箇所又は複数箇所を押圧してスライドプレートを下降させるサブレバー１７，１８を設けたものである。【選択図】図７
2008282587.tif 000002
【特許請求の範囲】
【請求項１】
電気部品を収容する収容部を有するソケット本体と、
上記ソケット本体内に配設され、上記電気部品の接続端子部に離接可能とされた複数のコンタクトピンと、
上記ソケット本体の上部に上下動可能に装着されたソケットカバーと、
上記ソケット本体内に上下動可能に配設され、上記コンタクトピンを変位させて上記電気部品の接続端子部に離接させるスライドプレートと、
上記ソケット本体とソケットカバーの下面との間に設けられ、該ソケットカバーの下降操作により上記スライドプレートの対向する二側辺の両端部を押圧して該スライドプレートを下降させる駆動レバーと、
を備えて成る電気部品用ソケットにおいて、
上記ソケット本体とソケットカバーの下面との間に、上記スライドプレートの他の対向する二側辺の一箇所又は複数箇所を押圧して該スライドプレートを下降させるサブレバーを設けたことを特徴とする電気部品用ソケット。
【請求項２】
上記サブレバーは、上記スライドプレートの他の対向する二側辺の変形が両端部よりも大きくなる中央部分を押圧するように配置されたことを特徴とする請求項１記載の電気部品用ソケット。
【請求項３】
上記サブレバーは、上記駆動レバーがスライドプレートの対向する二側辺を押圧してから該スライドプレートの変形が所定量以上となった状態で、上記スライドプレートの他の対向する二側辺を押圧するように形成されたことを特徴とする請求項２記載の電気部品用ソケット。
【請求項４】
上記駆動レバーがソケットカバーの下降操作により上記スライドプレートを下降させるテコ運動比は、上記サブレバーがソケットカバーの下降操作により上記スライドプレートを下降させるテコ運動比よりも大きくなるように構成されていることを特徴とする請求項３記載の電気部品用ソケット。
【発明の詳細な説明】
【技術分野】
【０００１】
本発明は、ＩＣパッケージ等の電気部品を着脱可能に収容し回路基板に接続する電気部品用ソケットに関し、詳しくは、ソケット本体内に配設された複数のコンタクトピンを変位させて電気部品の接続端子部に離接させるスライドプレートの変形を軽減して該スライドプレートの移動量を均一化する電気部品用ソケットに係るものである。
【背景技術】
【０００２】
従来のこの種の電気部品用ソケット、特に、オープントップタイプのソケットは、図１１に示すように、電気部品を収容する収容部を有するソケット本体１と、このソケット本体１内に配設され、電気部品の接続端子部に離接可能とされた複数のコンタクトピン（図１１ではソケット本体１内部に配設されて見えず）と、ソケット本体１の上部に上下動可能に装着されたソケットカバー２と、ソケット本体１内に上下動可能に配設され、コンタクトピンを変位させて電気部品の接続端子部に離接させるスライドプレート（図１１ではソケット本体１内部に配設されて見えず）と、ソケット本体１とソケットカバー２の下面との間に設けられ、ソケットカバー２の下降操作によりスライドプレートの対向する二側辺の両端部を押圧してスライドプレートを下降させる駆動レバー３，４とを備えて成っていた。なお、駆動レバー３，４は、ソケット本体１の対向する二側辺に一組ずつ設けられ、合計で二組配設されている。
【０００３】
電気部品としてのＩＣパッケージは、パッケージ本体の下面に接続端子部としての多数の半田ボールが突出され、縦方向と横方向とにマトリックス状に配列されている。また、スライドプレートは、平面形状が例えば矩形状に形成されており、周辺部を除いて略全面にわたって開けられた多数のピン穴に１本ずつコンタクトピンを挿入して、このスライドプレートの上下動により各コンタクトピンを変位させるようになっている。
【０００４】
そして、ＩＣパッケージをソケット本体１内に収容して電気部品用ソケットに接続するには、ソケット本体１の上部に装着されたソケットカバー２を上下動して、ソケット本体１の内壁部に軸支された駆動レバー３，４を回動させ、この駆動レバー３，４の中間部に設けられた押圧部３ａ，４ａでスライドプレートを押圧してそのスライドプレートを上下動させ、スライドプレートの上下動によりコンタクトピンを変位させて、そのコンタクトピンの先端の接触部を開閉し、電気部品の接続端子部に接続するようになっていた（例えば、特許文献１参照）。
【特許文献１】特開２００２−８８０９号公報
【発明の開示】
【発明が解決しようとする課題】
【０００５】
しかし、上記従来の電気部品用ソケットにおいては、図１２に示すように、平面形状が例えば矩形状のスライドプレート５に対して、対向する二側辺６，７の両端部６ａ，６ｂ；７ａ，７ｂを駆動レバー３，４でそれぞれ押圧してスライドプレート５を下降させていたので、駆動レバー３，４で押圧されていない他の対向する二側辺８，９の特に中央部分の下降量が少なく、この部分が浮き上がった状態で湾曲状に変形することがあった。これは、スライドプレート５の下降が、そのスライドプレート５の略全面にわたって挿入された多数のコンタクトピンとの摺接によって抵抗を受けるからである。
【０００６】
このようにスライドプレート５が変形すると、その上下方向の移動量が対向する二側辺６，７とその間の中央部分とで不均一となり、スライドプレート５の中央部分に配置されたコンタクトピンの先端の接触部が十分に開かずに、コンタクトピンと電気部品の接続端子部との接触不良が生ずることがあった。そして、最近、ＩＣパッケージが高集積化されており、パッケージ本体下面の接続端子部が多数になるに従って、コンタクトピンも増えて多ピン化している。この場合、コンタクトピンが多ピン化すればする程、コンタクトピンとの摺接による抵抗が増えてスライドプレート５の変形が大きくなり、コンタクトピンと電気部品の接続端子部との接触不良が生ずる。したがって、従来の電気部品用ソケットでは、コンタクトピンの多ピン化には対応できないものであった。
【０００７】
そこで、本発明は、このような問題点に対処し、ソケット本体内に配設された複数のコンタクトピンを変位させて電気部品の接続端子部に離接させるスライドプレートの変形を軽減して該スライドプレートの移動量を均一化する電気部品用ソケットを提供することを目的とする。
【課題を解決するための手段】
【０００８】
上記目的を達成するために、本発明による電気部品用ソケットは、電気部品を収容する収容部を有するソケット本体と、上記ソケット本体内に配設され、上記電気部品の接続端子部に離接可能とされた複数のコンタクトピンと、上記ソケット本体の上部に上下動可能に装着されたソケットカバーと、上記ソケット本体内に上下動可能に配設され、上記コンタクトピンを変位させて上記電気部品の接続端子部に離接させるスライドプレートと、上記ソケット本体とソケットカバーの下面との間に設けられ、該ソケットカバーの下降操作により上記スライドプレートの対向する二側辺の両端部を押圧して該スライドプレートを下降させる駆動レバーと、を備えて成る電気部品用ソケットにおいて、上記ソケット本体とソケットカバーの下面との間に、上記スライドプレートの他の対向する二側辺の一箇所又は複数箇所を押圧して該スライドプレートを下降させるサブレバーを設けたものである。
【０００９】
このような構成により、ソケットカバーの下降操作によりスライドプレートの対向する二側辺の両端部を押圧して該スライドプレートを下降させる駆動レバー以外に、ソケット本体とソケットカバーの下面との間に設けられたサブレバーにより、スライドプレートの他の対向する二側辺の一箇所又は複数箇所を押圧して該スライドプレートを下降させ、スライドプレートの変形を軽減する。
【００１０】
また、上記サブレバーは、上記スライドプレートの他の対向する二側辺の変形が両端部よりも大きくなる中央部分を押圧するように配置されている。これにより、スライドプレートの他の対向する二側辺の変形が両端部よりも大きくなる中央部分を押圧するように配置されたサブレバーにより、スライドプレートの他の対向する二側辺の変形が大きい箇所を押圧して該スライドプレートを下降させ、スライドプレートの変形を軽減する。
【００１１】
さらに、上記サブレバーは、上記駆動レバーがスライドプレートの対向する二側辺を押圧してから該スライドプレートの変形が所定量以上となった状態で、上記スライドプレートの他の対向する二側辺を押圧するように形成されている。これにより、駆動レバーがスライドプレートの対向する二側辺を押圧してから該スライドプレートの変形が所定量以上となった状態で、上記スライドプレートの他の対向する二側辺を押圧するように形成されたサブレバーにより、駆動レバーの操作に対して時間遅れをもって、スライドプレートの他の対向する二側辺の変形が大きい箇所を押圧して該スライドプレートを下降させ、スライドプレートの変形を軽減する。
【００１２】
さらにまた、上記駆動レバーがソケットカバーの下降操作により上記スライドプレートを下降させるテコ運動比は、上記サブレバーがソケットカバーの下降操作により上記スライドプレートを下降させるテコ運動比よりも大きくなるように構成されている。これにより、サブレバーがソケットカバーの下降操作によりスライドプレートを下降させるテコ運動比よりも大きいテコ運動比の駆動レバーにより、スライドプレートを下降させる操作の初期における操作力を低減する。
【発明の効果】
【００１３】
請求項１に係る発明によれば、ソケットカバーの下降操作によりスライドプレートの対向する二側辺の両端部を押圧してスライドプレートを下降させる駆動レバー以外に、ソケット本体とソケットカバーの下面との間に設けられたサブレバーにより、スライドプレートの他の対向する二側辺の一箇所又は複数箇所を押圧してスライドプレートを下降させ、そのスライドプレートの変形を軽減することができる。したがって、スライドプレートの側辺部と中央部とで移動量を均一化することができ、スライドプレートの中央部分に配置されたコンタクトピンの先端の接触部と電気部品の接続端子部との接触不良を防止することができる。また、スライドプレートの側辺部と中央部とで移動量を均一化できることから、電気部品用ソケットにおけるコンタクトピンの多ピン化にも対応することができる。
【００１４】
また、請求項２に係る発明によれば、スライドプレートの他の対向する二側辺の変形が両端部よりも大きくなる中央部分を押圧するように配置されたサブレバーにより、スライドプレートの他の対向する二側辺の変形が大きい箇所を押圧してスライドプレートを下降させ、そのスライドプレートの変形を軽減することができる。したがって、スライドプレートの側辺部と中央部とで移動量を均一化することができ、コンタクトピンの先端の接触部と電気部品の接続端子部との接触不良を防止することができる。
【００１５】
さらに、請求項３に係る発明によれば、駆動レバーがスライドプレートの対向する二側辺を押圧してからそのスライドプレートの変形が所定量以上となった状態で、スライドプレートの他の対向する二側辺を押圧するように形成されたサブレバーにより、駆動レバーの操作に対して時間遅れをもって、スライドプレートの他の対向する二側辺の変形が大きい箇所を押圧してスライドプレートを下降させ、そのスライドプレートの変形を軽減することができる。したがって、スライドプレートの変形が小さい間は、駆動レバーのみでスライドプレートの対向する二側辺を押圧して下降させ、そのスライドプレートの変形が所定量以上となったところで、サブレバーによりスライドプレートの他の対向する二側辺の変形が大きい箇所をも押圧してスライドプレートを下降させて、スライドプレートの変形状態に応じてその変形を軽減することができる。
【００１６】
さらにまた、請求項４に係る発明によれば、サブレバーがソケットカバーの下降操作によりスライドプレートを下降させるテコ運動比よりも大きいテコ運動比の駆動レバーにより、スライドプレートを下降させる操作の初期における操作力を低減することができる。また、スライドプレートの変形が所定量以上となったところでは、サブレバーもスライドプレートの押し下げに参加するので、スライドプレートをスムーズに下降させることができる。
【発明を実施するための最良の形態】
【００１７】
以下、本発明の実施形態を添付図面に基づいて詳細に説明する。
図１は本発明による電気部品用ソケットの実施形態を示す右半分を断面した状態の正面図であり、図２はその平面図である。この電気部品用ソケットは、ＩＣパッケージ等の電気部品を着脱可能に収容しプリント配線板等の回路基板に接続するもので、例えばオープントップタイプのソケットであり、ソケット本体１１と、コンタクトピン１２と、ソケットカバー１３と、スライドプレート１４と、駆動レバー１５，１６とを備え、さらに、サブレバー１７，１８（図７参照）を設けて成る。
【００１８】
まず、電気部品としてのＩＣパッケージ２５は、図３（ａ），（ｂ）に示すように、内部にＩＣ（集積回路）等のデバイスを封入した矩形状のパッケージ本体２５ａの下面に、接続端子部としての略球形状の半田ボール２５ｂが複数個突出されて、縦方向と横方向とにマトリックス状に配列されている。
【００１９】
ソケット本体１１は、ＩＣパッケージ２５を着脱可能に収容して位置決めするもので、図１に示す従来公知の構造により、上面にＩＣパッケージ２５を収容する収容部を有している。そして、このソケット本体１１内には、多数のコンタクトピン１２が配設されている。このコンタクトピン１２は、ＩＣパッケージ２５の半田ボール２５ｂと回路基板とを電気的に接続するもので、従来公知のバネ性を有する導電性に優れた細長板材から成り、後述のスライドプレート１４の上昇及び下降動作によりその先端の接触部が開閉してＩＣパッケージ２５の半田ボール２５ｂに離接可能とされている。
【００２０】
ここで、コンタクトピン１２の詳細について説明する。このコンタクトピン１２は、一枚の導電性を有する板材を所定の形状に打ち抜いた後、曲げ加工を施すことにより、図４（ａ），（ｂ）及び図５（ａ）〜（ｃ）に示すような形状に形成されており、その水平方向の断面が略Ｕ字状に折り曲げられた固定部１２ｅを有している。また、この固定部１２ｅから下方に向けてリード部１２ａが延長されると共に、上方に向けて一対の弾性片１２ｂが延びている。そして、このようなコンタクトピン１２が、ソケット本体１１の貫通孔１１ｄ（図６（ｂ）参照）及びスライドプレート１４のピン穴２０に挿通されており、その固定部１２ｅはソケット本体１１のベース部１１ａの下端側に設けられた収容部１１ｆに下方から収容され、押え板１１ｇにより下側から覆われることで支持されて、ソケット本体１１に固定される。コンタクトピン１２の固定部１２ｅの上端１２ｈは、ソケット本体１１の収容部１１ｆの上端の当接部１１ｋに当接された状態となっている。
【００２１】
なお、この実施形態においては、コンタクトピン１２は、上述したようにソケット本体１１の収容部１１ｆと押え板１１ｇとによりほぼ固定されることになるが、この収容部１１ｆと押え板１１ｇとにより形成される空間には若干のクリアランスが生じることもあるので、本発明におけるコンタクトピン１２のソケット本体１１への確実な固定は、後述するようにコンタクトピン１２の突起部１２ｆ（図４参照）がソケット本体１１の貫通孔１１ｄ内に形成された食込み部位１１ｈ（図６参照）へ食い込むことにより達成される。
【００２２】
コンタクトピン１２のリード部１２ａは、弾性変形可能であり、図５に示すように、ソケット本体１１のベース部１１ａから下方に突出して回路基板に挿入されて半田付けされ、図示しない電極に電気的に接続されている。
【００２３】
また、コンタクトピン１２の一対の弾性片１２ｂは、板幅方向の板面同士が互いに対向するように向かい合わせて形成されていると共に、ソケット本体１１のベース部１１ａ側の上側に配設されたスライドプレート１４側に延びており、これら一対の弾性片１２ｂの上端部にＩＣパッケージ２５の半田ボール２５ｂと接触する接触部１２ｃが形成されている。なお、この接触部１２ｃは、図４（ａ）に示すように、その先端部が互いに相手方の方向へ向かうような形に折り曲げられている。これら一対の弾性片１２ｂは、スライドプレート１４が上下動されることにより、その弾性片１２ｂが押圧されて、互いに接近する方向或いは離間する方向に弾性変形することにより上端部の接触部１２ｃが開閉され、半田ボール２５ｂを挟持及び開放可能に構成されている。
【００２４】
コンタクトピン１２の各弾性片１２ｂは、板面に沿う方向に弾性変形可能に形成され、固定部１２ｅ近傍に板幅方向の板面に沿って突出して、ソケット本体１１のベース部１１ａの貫通孔１１ｄの内壁に食い込む突起部１２ｆを有している。この突起部１２ｆは、弾性片１２ｂの弾性力により、貫通孔１１ｄの内壁に食い込んで、圧力を与えるように構成されている。即ち、その状態では、一対の突起部１２ｆはそれぞれ互いに反対方向に向かって貫通孔１１ｄの内壁を押圧することでその反発力によって押されているため、図４（ａ）に示す突起部１２ｆの先端の間の幅Ｈ１よりも縮まっている。そして、突起部１２ｆの弾性力によって、その突起部１２ｆがソケット本体１１の貫通孔１１ｄの内壁に食い込みつつ押圧するので、弾性片１２ｂの上下方向の移動が確実に規制され、コンタクトピン１２はソケット本体１１に対して固定される。同時に、弾性片１２ｂには接触部１２ｃが閉じる方向（接触部１２ｃが半田ボール２５ｂに接近する方向）に圧力が与えられる状態となる。
【００２５】
また、コンタクトピン１２の各弾性片１２ｂの接触部１２ｃ近傍には、板面に沿う方向に、突起部１２ｆとはそれぞれ反対となる方向に突出する作動部１２ｄが設けられている。この作動部１２ｄは、スライドプレート１４のピン穴２０の内壁に圧接され、スライドプレート１４の移動によりその内壁を摺動するように構成されている。
【００２６】
これらの突起部１２ｆ及び作動部１２ｄは、一対の弾性片１２ｂ間でそれぞれ互いに反対方向となるように突出して形成されている。そして、ソケット本体１１に装着される前、即ち、弾性変形されていない状態で、図４に示すように、両突起部１２ｆの先端の間の幅Ｈ１及び両作動部１２ｄの先端の間の幅Ｈ２が固定部１２ｅの幅Ｈ３より狭く形成されている。即ち、弾性変形された状態での一対の突起部１２ｆの先端の間の幅は、弾性変形されていない状態時の幅Ｈ１に比べ縮まっている。なお、突起部１２ｆの形成位置は固定部１２ｅと接触部１２ｃとの間に設けられ、固定部１２ｅに密着しさえしていなければ、接触部１２ｃは半田ボール２５ｂに圧力を与えることができるものである。
【００２７】
また、コンタクトピン１２の一対の弾性片１２ｂの突起部１２ｆ近傍及び作動部１２ｄ近傍には、互いに相手側に向けて略同一長さ突出して互いに摺接する突部１２ｇが設けられている。この突部１２ｇは一対の弾性片１２ｂの動作時に常に互いに摺接可能な大きさに形成されている。そして、このコンタクトピン１２では、突部１２ｇが互いに摺接した状態で、板面と略直交する方向の固定部１２ｅの厚さＴ１と、互いに平行に配置された一対の弾性片１２ｂの板面と直交する方向（板厚方向）の厚さＴ２と、各接触部１２ｃの厚さＴ３とが全て略同じ厚さとなっている。
【００２８】
このようなコンタクトピン１２が配置されるソケット本体１１では、図６（ａ），（ｂ）に示すように、ベース部１１ａに多数設けられた貫通孔１１ｄのそれぞれが、図４に示すコンタクトピン１２の固定部１２ｅを収容する収容部１１ｆから上方に向けて、一対の弾性片１２ｂが挿通される一対の弾性片配置部１１ｂ，１１ｂが連続して形成されている。
【００２９】
ソケット本体１１の各弾性片配置部１１ｂ，１１ｂでは、コンタクトピン１２の各弾性片１２ｂの突起部１２ｆが食い込むことになる食込み部位１１ｈが、貫通孔内でその内側に向けて突出しており、この食込み部位１１ｈは、その下部の内壁面が上部に向かって徐々に壁面間距離が狭くなるように形成された案内面１１ｉを有している。この食込み部位１１ｈは、コンタクトピン１２がソケット本体１１に挿入、固定された状態で、その内側への突出量により突起部１２ｆを内側に押圧し、これにより弾性片１２ｂに接触部１２ｃが閉じる方向の圧力を与えるものである。即ち、食込み部位１１ｈが突起部１２ｆを押圧することで、突起部１２ｆの先端の間の幅Ｈ１が狭まり、弾性片１２ｂの弾性力によって圧力が発生することになる。そのため、食込み部位１１ｈの内側への突出量と形状は所望の圧力が得られるように設定されることが必要となる。
【００３０】
また、ソケット本体１１の食込み部位１１ｈの形成位置は、コンタクトピン１２をソケット本体１１に装着した状態で、突起部１２ｆが位置する下方近傍から上方に向けて形成されている。コンタクトピン１２の装着時に突起部１２ｆが食込み部位１１ｈに圧接されて摺動される距離を短くできるからである。
【００３１】
ソケット本体１１の上部には、図１に示すように、ソケットカバー１３が上下動可能に装着されている。このソケットカバー１３は、その上下動によってソケット本体１１の収容部に収容されたＩＣパッケージ２５の半田ボール２５ｂをコンタクトピン１２の接触部１２ｃで挟み込んで接続固定するための操作部材となるもので、図２に示すように、ＩＣパッケージ２５を挿入可能な大きさの開口部１９を有し、この開口部１９を介してＩＣパッケージ２５が上から挿入されて収容部に収容するようになっている。なお、ソケット本体１１とソケットカバー１３は、絶縁性の樹脂材料で形成されている。
【００３２】
ソケット本体１１内には、スライドプレート１４が上下動可能に配設されている。このスライドプレート１４は、その上下動によってコンタクトピン１２を変位させてＩＣパッケージ２５の半田ボール２５ｂに先端の接触部１２ｃを離接させるもので、図２に示すように、平面形状が例えば矩形状に形成されており、周辺部を除いて略全面にわたって多数のピン穴２０が開けられ、この多数のピン穴２０に１本ずつコンタクトピン１２が挿入されている。なお、図１に示すように、スライドプレート１４は、その底面に介在されたスプリング２１によって上向きに付勢されている。そして、ソケット本体１１内にスライドプレート１４が上下動可能に配設された状態にて、その上部にソケットカバー１３が上下動可能に装着されている。
【００３３】
ここで、スライドプレート１４の詳細について説明する。前述のソケット本体１１のベース部１１ａの上側に配置されるスライドプレート１４は、図５（ａ）〜（ｃ）に示すように、板状に形成されており、上下動可能に配設されてスプリング２１により上向きに付勢されている。このスライドプレート１４には、複数のコンタクトピン１２に対応して、複数のピン穴２０が形成され、これら各ピン穴２０に、コンタクトピン１２の一対の弾性片１２ｂ（図４参照）が挿通されている。そして、この弾性片１２ｂの作動部１２ｄがピン穴２０の内壁に形成されたカム部１４ｂにて押されるように構成されており、スライドプレート１４が下方に移動されると、図５（ａ）に示す状態から図５（ｂ）に示す状態まで、カム部１４ｂにより、コンタクトピン１２の弾性片１２ｂの作動部１２ｄが押圧される。これにより、一対の弾性片１２ｂが弾性変形され、先端部の一対の接触部１２ｃが開かれるように構成されている。図３に示すＩＣパッケージ２５がソケット本体１１の収容部内に収容された状態でスライドプレート１４がスプリング２１の付勢力で上方に移動されると、図５（ｃ）に示すように、コンタクトピン１２の一対の接触部１２ｃ間にＩＣパッケージ２５の半田ボール２５ｂが挟持されるようになっている。
【００３４】
ソケット本体１１とソケットカバー１３の下面との間には、図１に示すように、駆動レバー１５，１６が設けられている。この駆動レバー１５，１６は、ソケットカバー１３の下降操作によりスライドプレート１４の対向する二側辺（図１０の符号６，７参照）の両端部を押圧してそのスライドプレート１４を下降させるもので、例えば金属で製造されており、ソケットカバー１３を取り外した状態の斜視図である図７に示すように、ソケット本体１１の対向する二側辺に一組ずつ設けられ、合計で二組配設されている。
【００３５】
この駆動レバー１５，１６の形状及び取付構造について、第１の駆動レバー１５を例として説明する。図１において、第１の駆動レバー１５は、ソケット本体１１の幅方向に延びる細長板状に形成され、基端部に穿設された貫通孔にピン２２を挿通し、このピン２２を中心として先端部側が回動自在となるように取り付けられている。そして、ピン２２が挿通された基端部付近の下側面には、スライドプレート１４の上面に接触する下向きの突出形状の押圧部１５ａが形成され、ピン２２と反対側の先端部には、図８に示すように、ソケットカバー１３の下面と接触する当接部１５ｂが形成されている。
【００３６】
また、第２の駆動レバー１６は、第１の駆動レバー１５と左右が入れ替わった状態にて全く同様に構成されている。この状態で、図１及び図７に示すように、第１の駆動レバー１５と第２の駆動レバー１６とは、図７に示すＡ矢視にて略Ｘ字状に配置されている。
【００３７】
そして、図１０において、第１の駆動レバー１５の押圧部１５ａはスライドプレート１４の一側辺６の一端部６ａを押圧し、第２の駆動レバー１６の押圧部は同じく一側辺６の他端部６ｂを押圧するようになっている。同様にして、二組目の第１の駆動レバー１５の押圧部はスライドプレート１４の他側辺７の一端部７ａを押圧し、第２の駆動レバー１６の押圧部は同じく他側辺７の他端部７ｂを押圧するようになっている。
【００３８】
ここで、本発明においては、ソケット本体１１とソケットカバー１３の下面との間に、図７に示すように、サブレバー１７，１８が設けられている。このサブレバー１７，１８は、スライドプレート１４の他の対向する二側辺（図１０の符号８，９参照）の一箇所又は複数箇所を押圧してそのスライドプレート１４を下降させるもので、例えば金属で製造されており、ソケット本体１１の他の対向する二側辺に一組ずつ設けられ、合計で二組配設されている。そして、一組のサブレバー１７，１８は、図７に示すＢ矢視にて略Ｘ字状に配置されている。
【００３９】
このサブレバー１７，１８の形状及び取付構造については、前述の駆動レバー１５，１６の形状及び取付構造と略同様であり、ソケット本体１１の他の対向する二側辺の幅方向に延びる細長板状に形成され、基端部に穿設された貫通孔にピン（図９の符号２３，２３参照）を挿通し、このピン２３を中心として先端部側が回動自在となるように取り付けられている。そして、ピン２３が挿通された基端部付近の下側面には、スライドプレート１４の上面に接触する下向きの突出形状の押圧部が形成され、ピン２３と反対側の先端部には、図９に示すように、ソケットカバー１３の下面と接触可能な当接部１７ｂ，１８ｂが形成されている。
【００４０】
この状態で、図１０において、第１のサブレバー１７の押圧部はスライドプレート１４の他の一側辺８の一箇所８ａを押圧し、第２のサブレバー１８の押圧部は同じく他の一側辺８の他の一箇所８ｂを押圧するようになっている。同様にして、二組目の第１のサブレバー１７の押圧部はスライドプレート１４の他側辺９の一箇所９ａを押圧し、第２のサブレバー１８の押圧部は同じく他側辺９の他の一箇所９ｂを押圧するようになっている。
【００４１】
そして、サブレバー１７，１８が前述の駆動レバー１５，１６と異なる点は、図１０に示すスライドプレート１４の他の対向する二側辺８，９の変形が両端部よりも大きくなる中央部分を押圧するように、図７に示すように、ソケット本体１１の他の対向する二側辺の幅方向におけるサブレバー１７，１８の長さを短縮して、ソケット本体１１の幅方向の中央部分に配置されている。また、サブレバー１７，１８に対して駆動レバー１５，１６の長さが大きくされていることから、駆動レバー１５，１６がソケットカバー１３の下降操作によりスライドプレート１４を下降させるテコ運動比は、サブレバー１７，１８がソケットカバー１３の下降操作によりスライドプレート１４を下降させるテコ運動比よりも大きくなるように構成されている。
【００４２】
さらに、図９に示すように、サブレバー１７，１８の先端部の当接部１７ｂ，１８ｂは、初期状態においてはソケットカバー１３の下面に接触しておらず、所定量の隙間ｇ（例えば0.1mm程度）があけられている。これにより、サブレバー１７，１８は、駆動レバー１５，１６がスライドプレート１４の対向する二側辺６，７を押圧してからそのスライドプレート１４の変形が所定量（例えば0.3mm程度）以上となった状態で、スライドプレート１４の他の対向する二側辺８，９を押圧するようになっている。
【００４３】
次に、このように構成された電気部品用ソケットにおいて、電気部品としてのＩＣパッケージ２５をソケットに接続固定する際のスライドプレート１４の下降操作について説明する。まず、図１においてソケットカバー１３を下方に押し下げる。すると、図８に示すように、ソケットカバー１３の下面に先端部の当接部１５ｂ，１６ｂが接触している二組の駆動レバー１５，１６（図７参照）が下方に押されて、ピン２２を中心として下向きに回動する。このとき、図９に示すように、二組のサブレバー１７，１８の先端部の当接部１７ｂ，１８ｂは、所定量の隙間ｇの存在によりソケットカバー１３の下面に接触しておらず、サブレバー１７，１８はまだ回動しない。
【００４４】
そして、一組目の第１の駆動レバー１５の押圧部１５ａ（図１参照）は図１０に示すスライドプレート１４の一側辺６の一端部６ａを押圧し、第２の駆動レバー１６の押圧部は同じく一側辺６の他端部６ｂを押圧し、二組目の第１の駆動レバー１５の押圧部１５ａはスライドプレート１４の他側辺７の一端部７ａを押圧し、第２の駆動レバー１６の押圧部は同じく他側辺７の他端部７ｂを押圧するようになっているので、スライドプレート１４は、対向する二側辺６，７の両端部６ａ，６ｂ；７ａ，７ｂ（即ち四隅部）を二組の駆動レバー１５，１６の回動で同時に押圧されて、全体が平らな状態で均一に下降される。
【００４５】
この状態で、スライドプレート１４の略全面にわたって開けられた多数のピン穴２０（図２参照）に挿入されたコンタクトピン１２は等しく変位を受けて、そのコンタクトピン１２の先端の接触部１２ｃが略同時に開閉して、ソケットカバー１３の開口部１９を通して挿入されソケット本体１１内の収容部に収容されたＩＣパッケージ２５の全ての半田ボール２５ｂに接続する。
【００４６】
他方、二組の駆動レバー１５，１６の回動で同時にスライドプレート１４を押圧した際の、多数のコンタクトピン１２の作動部１２ｄとの摺接による抵抗が大きい場合は、図１２における従来技術の説明と同様に、スライドプレート１４は、対向する二側辺６，７の間の中央部分が上方に湾曲して変形する。
【００４７】
このように、スライドプレート１４の中央部分が上方に湾曲して変形すると、図１０において他の対向する二側辺８，９の二箇所８ａ，８ｂ；９ａ，９ｂが相対的に浮き上がって、それらの箇所８ａ，８ｂ；９ａ，９ｂに基端部の押圧部が当接している二組のサブレバー１７，１８の先端部の当接部１７ｂ，１８ｂと、ソケットカバー１３の下面との隙間ｇ（図９参照）が無くなって、二組のサブレバー１７，１８の当接部１７ｂ，１８ｂがソケットカバー１３の下面に接触する。すると、二組のサブレバー１７，１８（図７参照）が下方に押されて、ピン２３を中心として下向きに回動する。
【００４８】
このときは、図１０において、スライドプレート１４は、二組の駆動レバー１５，１６の回動によって対向する二側辺６，７の両端部６ａ，６ｂ；７ａ，７ｂが同時に押圧されると共に、二組のサブレバー１７，１８の回動によって他の対向する二側辺８，９の二箇所８ａ，８ｂ；９ａ，９ｂも同時に押圧されて、全周にわたる押し下げ操作により全体が略均一に下降される。これにより、スライドプレート１４の変形を軽減してそのスライドプレート１４の移動量を略均一化することができる。
【００４９】
このような状態になると、スライドプレート１４の略全面にわたって開けられた多数のピン穴２０（図２参照）に挿入されたコンタクトピン１２は等しく変位を受けて、そのコンタクトピン１２の先端の接触部１２ｃが略同時に開閉して、ソケットカバー１３の開口部１９を通して挿入されソケット本体１１内の収容部に収容されたＩＣパッケージ２５の全ての半田ボール２５ｂに確実に接続することができる。
【００５０】
なお、以上の説明においては、サブレバー１７，１８は、スライドプレート１４の他の対向する二側辺８，９の二箇所を押圧してそのスライドプレート１４を下降させるものとしたが、本発明はこれに限られず、他の対向する二側辺８，９の二箇所を押圧する際に、一方を時間遅れをもって押圧するようにしてもよい。或いは、スライドプレート１４の他の対向する二側辺８，９の一箇所、例えば中心軸上を押圧するようにしてもよい。
【図面の簡単な説明】
【００５１】
【図１】本発明による電気部品用ソケットの実施形態を示す右半分を断面した状態の正面図である。
【図２】図１の平面図である。
【図３】電気部品としてのＩＣパッケージを示す説明図であり、（ａ）は正面図、（ｂ）は底面図である。
【図４】コンタクトピンを示す拡大説明図であり、（ａ）は正面図、（ｂ）は右側面図である。
【図５】スライドプレートの上下動によるコンタクトピンの動作を示す要部拡大説明図であり、（ａ）はコンタクトピンの先端の接触部が閉じた状態を示し、（ｂ）はその接触部が開いた状態を示し、（ｃ）はその接触部でＩＣパッケージの半田ボールを挟持した状態を示している。
【図６】ソケット本体のベース部を示す要部拡大説明図であり、（ａ）は平面図、（ｂ）は正面断面図である。
【図７】本発明の電気部品用ソケットのソケットカバーを取り外した状態を示す斜視図である。
【図８】ソケットカバーを取り付けた状態の図７のＡ矢視による一部断面説明図である。
【図９】ソケットカバーを取り付けた状態の図７のＢ矢視による一部断面説明図である。
【図１０】スライドプレートを示す斜視図である。
【図１１】従来の電気部品用ソケットを示す一部断面斜視図である。
【図１２】スライドプレートが変形した状態を示す斜視図である。
【符号の説明】
【００５２】
１１…ソケット本体
１２…コンタクトピン
１３…ソケットカバー
１４…スライドプレート
１５，１６…駆動レバー
１７，１８…サブレバー
１９…開口部
２０…ピン穴
２１…スプリング
２５…ＩＣパッケージ
２５ａ…パッケージ本体
２５ｂ…半田ボール
【図１】
2008282587.tif 000003
【図２】
2008282587.tif 000004
【図３】
2008282587.tif 000005
【図４】
2008282587.tif 000006
【図５】
2008282587.tif 000007
【図６】
2008282587.tif 000008
【図７】
2008282587.tif 000009
【図８】
2008282587.tif 000010
【図９】
2008282587.tif 000011
【図１０】
2008282587.tif 000012
【図１１】
2008282587.tif 000013
【図１２】
2008282587.tif 000014